(57)【要約】【課題】  本発明は、伸長されても強度を保ち、製造過程において型から除去しやすい大きな傾斜を維持するカラー受像管フェースプレートパネルを提供することを目的とする。【解決手段】  改良されたカラー受像管は、フェースプレートパネルと、ファンネルと、ネックとからなるガラスの外被を含む。フェースプレートパネルは、４つの辺と４つの隅とを有し、内面に陰極ルミネセンスを有する透明な矩形のフェースプレート及びフェースプレートから周辺的に伸びる側壁を含む。ファンネルに面する側壁の端は、ファンネルに封止されるシール部を有する。改良点は、側壁のシール部がパネルの周辺に様々な幅を有し、側壁のシール部の最も幅の広い部分はパネルの辺に沿って配置され、側壁のシール部の最も幅の狭い部分はパネルの隅に配置されることからなる。側壁のシール部の幅は、パネルの隅では、パネルの辺の中央よりも５％乃至１７％少ない。【選択図】  図１
2008186816.tif 000002
【特許請求の範囲】
【請求項１】
フェースプレートパネルと、ファンネルとを備える陰極線管であって
前記フェースプレートパネルは、フェースプレート及び周辺の側壁を含み、
前記側壁は、２つの長辺と、２つの短辺と、４つの隅と、シール部を含み、
前記側壁のシール部の幅は、前記パネルの周りに沿って変化し、前記側壁のシール部の最も広い部分は前記パネルの辺に沿って配置されるとともに前記側壁のシール部の最も狭い部分は前記パネルの隅に配置され、前記パネル側壁のシール部の幅は、前記パネルの隅において、前記パネルの辺よりも５％乃至１７％だけ少なく、
前記ファンネルは、前記パネルの前記シール部と密封されるシール部を含み、前記ファンネルのシール部は、所定の幅を有する、前記陰極線管。
【請求項２】
フェースプレートパネルと、ファンネルとを備える陰極線管であって
前記フェースプレートパネルは、フェースプレート及び周辺の側壁を含み、
前記側壁は、２つの長辺と、２つの短辺と、４つの隅と、シール部を含み、
前記側壁のシール部の幅は、前記パネルの周りに沿って変化し、前記側壁のシール部の最も広い部分は前記パネルの辺に沿って配置されるとともに前記側壁のシール部の最も狭い部分は前記パネルの隅に配置され、前記パネル側壁のシール部の幅は、前記パネルの隅において、前記パネルの辺よりも５％乃至１７％だけ少なく、
前記ファンネルは、前記パネルの前記シール部と密封されるシール部を含み、前記ファンネルのシール部は、前記ファンネルの隅において、隅における前記パネルのシール部の幅よりも大きい、前記陰極線管。
【発明の詳細な説明】
【技術分野】
【０００１】
本発明は、カラー受像管及び、特に大気圧に耐えるために充分なパネルの強度を保ちつつ、伸張されたパネルを収容し、パネルの重さを減少させるフェースプレートのデザインの変形に関する。
【背景技術】
【０００２】
カラー受像管は、ネックと、ファンネルと、矩形の画面パネルとからなるガラスの外被を有する。フェースプレートパネルは、周辺側壁に囲まれたビューイングフェースプレートを含む。フェースプレートパネルの側壁は、ガラスのフリットによってファンネルの大きい端に封止される。パネルの側壁及びファンネルの向かい合う端は、シール部と呼ばれる。パネルの側壁とパネルのフェースプレートの間には、ブレンド（ｂｌｅｎｄ）半径を含む変化ゾーンがある。近時、全体としての外部の大きさ及び管の大きさを拡大することなく、少なくとも管の隅において、ブレンド半径を縮小することにより、管のスクリーンの大きさを拡大或いは伸張するという努力がなされてきた。
【発明の開示】
【発明が解決しようとする課題】
【０００３】
パネルのブレンド半径が変えられたときに起こる問題の１つは、パネル側壁の内面が、側壁のシール部よりも少なく傾斜される（即ち図３のφがより小さくなる）ことである。このより浅い傾斜は、ガラス工場でパネルを形成する間、パネルからパネル形成プランジャを取り除く際に問題を生じさせる。パネル側壁の厚さはパネルの強度に影響を与えるため、この問題はパネル側壁全体をより薄くすることでは解決され得ず、パネル強度は、大気圧の負担に耐え、安全基準を満たすために維持されねばならない。従って、強度を維持し、製造の間に型からの除去の容易さのために必要な大きな傾斜（φ）を保つような新しいパネルのデザインが必要である。
【課題を解決するための手段】
【０００４】
本発明は、フェースプレートパネルと、ファンネルと、ネックとからなるガラスの外被を含む種類のカラー受像管に対して改良を与える。フェースプレートパネルは、４つの辺と４つの隅とを有し、内面に陰極ルミネセンスを有する透明な矩形のフェースプレート及びフェースプレートから周辺的に広がる側壁を含む。ファンネルに面する側壁の端は、ファンネルに封止されるシール部を有する。改良点は、側壁のシール部がパネルの周辺に様々な幅を有し、側壁のシール部の最も幅の広い部分はパネルの辺に沿って配置され、側壁のシール部の最も幅の狭い部分はパネルの隅に配置されることからなる。側壁のシール部の幅は、パネルの隅では、パネルの辺の中央よりも５％乃至１７％少ない。
【発明を実施するための最良の形態】
【０００５】
図１及び図２は、矩形のファンネル１５によって接続する矩形のフェースプレートパネル１２及び管状のネック１４からなるガラスバルブ或いは外被１１を有する矩形のカラー受像管１０を示す。ファンネル１５は、アノードボタン１６からネック１４へ伸びる内壁導電コーティング（図示せず）を有する。パネル１２は、透明な矩形のビューイングフェースプレート１８と、ガラスフリット１７によりファンネル１５に封止されるシール部２１を含む周辺フランジ或いは側壁２０とからなる。３色蛍光スクリーン２２は、フェースプレート１８の内面によって支えられている。スクリーン２２は、望ましくは、夫々の３つ組が３色の夫々の蛍光ラインを含む、３つ組になって配置された蛍光ラインを有するラインスクリーンである。或いは、スクリーンはドットスクリーンであり得、光吸収マトリクスを含んでも含まなくてもよい。多くの孔を有するカラー選択電極或いはシャドウマスク２４は、スクリーン２２に対し所定の間隔をあけられた関係で、取外し可能であるよう設けられる。図１で破線によって図式的に示される電子銃２６は、スクリーン２２に対してマスク２４を通じて集束する道筋に沿って３つの電子ビームを発生し、向かわせるため、ネック１４内の中央に設けられる。図２に示されるように、矩形のフェースプレートパネル１２は、２つの中央に配置された直交する軸を含み、それらは長軸Ｘと短軸Ｙ及び、隅から隅へと伸びる２つの対角線Ｄである。フェースプレートパネル１２の周囲の２つの長辺Ｌは実質上長軸Ｘと平行であり、２つの短辺Ｓは実質上短軸Ｙと平行である。
【０００６】
図３は、対角線Ｄの端におけるパネル１２の断面を示す。破線２８は、パネルの内面の修正された形を示し、スクリーン領域は、側壁或いはパネルのシール部２１の幅を保ちながら、曲率半径或いはブレンド半径を減少することにより伸張される。より大きなスクリーンのための必要条件は、内面の外形の変化及び角度φの側壁の内面の傾斜の変化を含む。夫々Ｒ０及びＲｎで示されるブレンド半径が１２．７ｍｍ（０．５０ｉｎｃｈ）から２．５４ｍｍ（０．１０ｉｎｃｈ）へと変化する管では、角度φはおよそ１度、即ち１°である。パネルの製造において、より急な傾斜はパネルから形成プランジャ（図示せず）を除去することを困難にさせるため、パネルの製造では傾斜角度の変化は問題を引き起こす。
【０００７】
ガラス製造における問題を解決する実施例は、図４の破線３０及び図５の実線３２によって示される。この解決法では、ブレンド半径は、図３の場合と同じ量だけ変化されるが、側壁の内面の同じ傾斜角度を保つため、側壁或いはパネルのシール部３１はより狭い。しかしながら、パネルの完全な全周のまわりの、より狭いパネルのシール部によって、強度に関する他の問題が起こる。この後者の問題は、図６を図７と比較することにより示される。図６は、パネルのシール部２１は、ファンネルのシール部と実質的に同じ幅であるようなパネルの実施例を示す。この場合、フリット材料は管の内側と外側の両方にかなり完全なフィレット３３及び３５を形成する。しかしながら、図７に示されるパネルの実施例では、パネルのシール部３１の幅は、ファンネルのシール部よりも実質的に狭く、フリット材料は管の外側に完全なフィレット３７を形成するが、管の内側には歪んだ部分的なフィレット３９を形成する。この状態がパネルの辺に沿って起こったとき、それはパネルとファンネルの間の結合が非常に弱められることになる。
【０００８】
典型的に、従来の技術による管では、パネルのシール部の幅は、パネルの全周の周りでは比較的均等であり、５％以下しか変化しない。しかしながら、ガラスの外被が真空にされた場合、真空荷重によって起こされるフェースプレートパネルの機械的ストレスは、長軸及び短軸の端と、４つの辺の中央とにおいて最も高く、パネルの隅と対角線の端とにおいて最も低いことが見い出されている。更に、適切な量の機械的強度は、パネルの隅においてのみ、５％乃至１７％のシール部の幅の減少を有する管において保たれ得ることが見い出されている。本発明による新しい管では、従って、図６に示されるように、パネルのシール部はパネルの辺Ｌ及びＳに沿って最も広く、図７に示されるように、パネルの隅において最も狭い。
【図面の簡単な説明】
【０００９】
【図１】カラー受像管の側面図、部分的には軸方向の断面図である。
【図２】図１の線２−２におけるフェースプレートパネルの背面部の平面図である。
【図３】フェースプレートパネルの側壁及びファンネルの一部分の断面図であって、従来の技術を示す図である。
【図４】フェースプレートパネルの側壁及びファンネルの一部分の断面図であって、開発結果の問題を示す図である。
【図５】フェースプレートパネルの側壁及びファンネルの一部分の断面図であって、本発明を示す図である。
【図６】フェースプレートパネルの側壁とファンネルの間の接合点の断面図である。
【図７】フェースプレートパネルの側壁とファンネルの間の接合点の断面図である。
【符号の説明】
【００１０】
１０  カラー受像管
１１  ガラスバルブ
１２  フェースプレートパネル
１４  ネック
１５  ファンネル
１６  アノードボタン
１７  ガラスフリット
１８  ビューイングフェースプレート
２０  周辺フランジ（側壁）
２１  シール部
２２  スクリーン
２４  カラー選択電極（シャドウマスク）
２６  電子銃
２８  側壁或いはシール部の幅を保つようなパネルの内面の修正された形
３０  ガラス製造の際の問題を解決するための実施例
３１  シール部
３２  ガラス製造の際の問題を解決するための実施例
３３  完全なフィレット
３５  完全なフィレット
３７  完全なフィレット
３９  歪んだ部分的なフィレット
【図１】
2008186816.tif 000003
【図２】
2008186816.tif 000004
【図３】
2008186816.tif 000005
【図４】
2008186816.tif 000006
【図５】
2008186816.tif 000007
【図６】
2008186816.tif 000008
【図７】
2008186816.tif 000009